(57)【要約】      （修正有）【課題】測位基準信号（ＰＲＳ）バーストを処理するための方法、装置、およびデバイスを提供する。【解決手段】モバイルデバイス１０２が、基地局３１０から送信された第１のＰＲＳバーストを第１の送信機アンテナポートを通して収集し、基地局から送信された第２のＰＲＳバーストを第２のアンテナポートを通して収集し得る。モバイルデバイスは、観測到着時間差などの測位動作において使用するために第１の収集されたＰＲＳバーストと第２の収集されたＰＲＳバーストとの間で選択し得る。【選択図】図３
2018021921.tif 000002
【特許請求の範囲】
【請求項１】
モバイルデバイスにおいて、
第１のオケージョン中に基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を備える方法。
【請求項２】
前記１つまたは複数の性能基準が、少なくとも信号対雑音比を備える、請求項１に記載の方法。
【請求項３】
前記１つまたは複数の性能基準が、少なくとも最良の確定された相関ピークを備える、請求項１に記載の方法。
【請求項４】
前記最良の確定された相関ピークが時間領域においてまたは周波数領域において測定される、請求項３に記載の方法。
【請求項５】
前記１つまたは複数の性能基準が、少なくとも、前記最良の確定された相関ピークの幅と公称相関ピーク幅との比較を備える、請求項３に記載の方法。
【請求項６】
前記選択することが、
前記収集された第２のＰＲＳバースト中で検出された１つまたは複数のシンボルを、前記第１の収集されたＰＲＳバースト中で検出された１つまたは複数のシンボルと比較すること
をさらに備える、請求項１に記載の方法。
【請求項７】
前記比較することは、
前記第２の収集されたＰＲＳバースト中で検出された前記１つまたは複数のシンボルが、前記第１の収集されたＰＲＳバースト中で検出された前記１つまたは複数のシンボルとは異なる極性のものであるかどうかを決定すること
を備える、請求項６に記載の方法。
【請求項８】
前記１つまたは複数の性能基準のうちの第１の性能基準を備える前記第１の収集されたＰＲＳバーストに少なくとも部分的に基づいて、前記第１の収集されたＰＲＳバーストを、前記第１のオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、前記第２のオケージョン中に送信されたものとして指定することと、
をさらに備える、請求項１に記載の方法。
【請求項９】
メモリデバイスに、基地局が異なるオケージョン中に異なるＰＲＳバーストを送信するかどうかを識別するための１つまたは複数のインジケータを記憶すること
をさらに備える、請求項１に記載の方法。
【請求項１０】
通信チャネルから信号を受信するための受信機と、
第１のオケージョン中に前記受信機において受信された、基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を行うための、前記受信機に結合された１つまたは複数のプロセッサと
を備える、モバイルデバイス。
【請求項１１】
前記１つまたは複数のプロセッサが、
前記第１および前記第２の収集されたＰＲＳバーストの信号対雑音を備える前記１つまたは複数の性能基準に少なくとも部分的に基づいて、前記第１の収集されたＰＲＳバーストと前記第２の収集されたＰＲＳバーストとの間で選択すること
をさらに行うためのものである、請求項１０に記載のモバイルデバイス。
【請求項１２】
前記１つまたは複数のプロセッサが、
前記第１および前記第２の収集されたＰＲＳバーストの最良の確定された相関ピークを備える前記１つまたは複数の性能基準に少なくとも部分的に基づいて、前記第１の収集されたＰＲＳバーストと前記第２の収集されたＰＲＳバーストとの間で選択することをさらに行うためのものである、請求項１０に記載のモバイルデバイス。
【請求項１３】
前記１つまたは複数のプロセッサが、
時間領域においてまたは周波数領域において、前記最良の確定された相関ピークを計算すること
をさらに行うためのものである、請求項１２に記載のモバイルデバイス。
【請求項１４】
前記１つまたは複数のプロセッサが、
測定された相関ピーク幅と公称相関ピーク幅との比較に少なくとも部分的に基づいて、前記第１の収集されたＰＲＳバーストと前記第２の収集されたＰＲＳバーストとの間で選択すること
をさらに行うためのものである、請求項１０に記載のモバイルデバイス。
【請求項１５】
前記１つまたは複数のプロセッサが、
前記第２の収集されたＰＲＳバースト中で検出された１つまたは複数のシンボルを、前記第１の収集されたＰＲＳバースト中で検出された１つまたは複数のシンボルと比較すること
をさらに行うためのものである、請求項１０に記載のモバイルデバイス。
【請求項１６】
前記１つまたは複数のプロセッサは、
前記第２の収集されたＰＲＳバースト中で検出された前記１つまたは複数のシンボルが、前記第１の収集されたＰＲＳバースト中で検出された前記１つまたは複数のシンボルとは異なる極性のものであるかどうかを決定すること
をさらに行うためのものである、請求項１５に記載のモバイルデバイス。
【請求項１７】
前記１つまたは複数のプロセッサが、
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定することと
をさらに行うためのものである、請求項１０に記載のモバイルデバイス。
【請求項１８】
前記１つまたは複数のプロセッサは、
メモリデバイスに、基地局が異なるオケージョン中に異なるＰＲＳバーストを送信するかどうかを識別するための１つまたは複数のインジケータを記憶すること
をさらに行うためのものである、請求項１０に記載のモバイルデバイス。
【請求項１９】
第１のオケージョン中に基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を行うためにモバイルデバイスの１つまたは複数のプロセッサによって実行可能である、その上に記憶された機械可読命令を備える記憶媒体
を備える物品。
【請求項２０】
前記モバイルデバイスの１つまたは複数のプロセッサによって実行可能である、その上に記憶された機械可読命令を備える前記記憶媒体が、
前記第１および前記第２の収集されたＰＲＳバーストの信号対雑音を備える前記１つまたは複数の性能基準に少なくとも部分的に基づいて、前記第１の収集されたＰＲＳバーストと前記第２の収集されたＰＲＳバーストとの間で選択すること
をさらに行うためのものである、請求項１９に記載の物品。
【請求項２１】
前記モバイルデバイスの１つまたは複数のプロセッサによって実行可能である、その上に記憶された機械可読命令を備える前記記憶媒体が、
前記第１および前記第２の収集されたＰＲＳバーストの最良の確定された相関ピークを備える前記１つまたは複数の性能基準に少なくとも部分的に基づいて、前記第１の収集されたＰＲＳバーストと前記第２の収集されたＰＲＳバーストとの間で選択することをさらに行うためのものである、請求項１９に記載の物品。
【請求項２２】
前記モバイルデバイスの１つまたは複数のプロセッサによって実行可能である、その上に記憶された機械可読命令を備える前記記憶媒体が、
時間領域においてまたは周波数領域において、前記最良の確定された相関ピークを計算すること
をさらに行うためのものである、請求項２１に記載の物品。
【請求項２３】
前記モバイルデバイスの１つまたは複数のプロセッサによって実行可能である、その上に記憶された機械可読命令を備える前記記憶媒体が、
測定された相関ピーク幅と公称相関ピーク幅との比較に少なくとも部分的に基づいて、前記第１の収集されたＰＲＳバーストと前記第２の収集されたＰＲＳバーストとの間で選択すること
をさらに行うためのものである、請求項１９に記載の物品。
【請求項２４】
前記モバイルデバイスの１つまたは複数のプロセッサによって実行可能である、その上に記憶された機械可読命令を備える前記記憶媒体が、
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定することと
をさらに行うためのものである、請求項１９に記載の物品。
【請求項２５】
前記モバイルデバイスの１つまたは複数のプロセッサによって実行可能である、その上に記憶された機械可読命令を備える前記記憶媒体が、
メモリデバイスに、基地局が異なるオケージョン中に異なるＰＲＳバーストを送信するかどうかを識別するための１つまたは複数のインジケータを記憶すること
をさらに行うためのものである、請求項１９に記載の物品。
【請求項２６】
第１のオケージョン中に基地局から送信された第１の測位基準信号（ＰＲＳ）バーストを収集するための手段と、
第２のオケージョン中に前記基地局から送信された第２のＰＲＳバーストを収集するための手段と、
１つまたは複数の性能基準に少なくとも部分的に基づいて、測位動作において使用するために前記第１の収集されたＰＲＳバーストと前記第２の収集されたＰＲＳバーストとの間で選択するための手段と
を備える、モバイルデバイス。
【請求項２７】
前記第１の収集されたＰＲＳバーストおよび前記第２の収集されたＰＲＳバーストの信号対雑音比を計算するための手段
をさらに備える、請求項２６に記載のモバイルデバイス。
【請求項２８】
前記第１の収集されたＰＲＳバーストおよび前記第２の収集されたＰＲＳバーストの最良の確定された相関ピークを計算するための手段
をさらに備える、請求項２６に記載のモバイルデバイス。
【請求項２９】
前記第２の収集されたＰＲＳバースト中で検出された１つまたは複数のシンボルが、前記第１の収集されたＰＲＳバースト中で検出された１つまたは複数のシンボルとは異なる極性のものであるかどうかを決定するための手段
をさらに備える、請求項２６に記載のモバイルデバイス。
【請求項３０】
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定するための手段と、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定するための手段と
をさらに備える、請求項２６に記載のモバイルデバイス。
【発明の詳細な説明】
【技術分野】
【０００１】
関連出願
本出願は、その全体が参照により本明細書に組み込まれる、２０１４年１月２４日に出願された米国非仮特許出願第１４／１６３，９０７号の優先権を主張するＰＣＴ出願である。
【０００２】
[0001]本明細書で開示する主題は、モバイル電子デバイスに関し、より詳細には、異なるオケージョン（occasion）中に送信された異なるワイヤレス測位基準信号を収集するために使用され得る方法、装置、および製品に関する。
【背景技術】
【０００３】
情報
[0002]全地球測位システム（ＧＰＳ）および他の同様の衛星測位システム（ＳＰＳ）は、多くのタイプの屋外環境におけるモバイルデバイスのためのナビゲーションサービスを可能にした。位置の正確な推定値を取得するためのＳＰＳベース手法に加えてまたはそれの代わりに、モバイルデバイスは、既知のロケーションに位置し得る、セルラー基地局送信機など、地上波送信機によって送信された信号の収集を伴い得る測位手法を採用し得る。そのような手法は、たとえば、観測到着時間差（ＯＴＤＯＡ：observed time difference of arrival）、および／またはアドバンストフォワードリンクトリラテラレーション（ＡＦＬＴ：advanced forward link trilateration）などの他のプロシージャを含み得る。
【０００４】
[0003]たとえば、ＯＴＤＯＡ技法が利用される場合、セルラー通信ネットワークは、セルラー基地局から送信された信号の観測到着時間の差を報告するモバイルデバイスに応答して、モバイルデバイスの位置を推定し得る。しかしながら、モバイルデバイスにおいて受信された１つまたは複数の信号がひずんでおり、および／または過剰な干渉を伴う場合、モバイルデバイスは、信号を収集することができず、したがって、信号の到着時間を正確に決定することができないことがある。したがって、モバイルデバイスは、収集された信号の間の観測時間差の不正確な値を報告することがある。到着時間におけるそのような不正確さは、協働セルラーネットワークによって処理される場合、モバイルデバイスの推定ロケーションを計算する際にかなりの誤差を生じ得る。
【０００５】
[0004]セルラー基地局から送信されたひずんだおよび／または雑音の多い信号の測定によってもたらされ得る、モバイルデバイスの位置を推定する際の誤差は、特に、多くのシナリオにおいて問題があり得る。たとえば、医療支援を必要とし得る１人または複数のモバイルデバイスユーザの位置を特定するために拡張９１１システム（たとえば、Ｅ９１１）が使用され得る、緊急サービス設定において、パラメディックは、混んでいるハイウェイ上の負傷したモバイルデバイスユーザの位置を特定しようと試みるのに過度の時間期間を費やすことがある。他の事例では、位置推定誤差が、ナビゲーションまたはルート計画アプリケーションによって与えられるターンバイターン方向（turn-by-turn direction）の精度の低減をもたらし得る。そのような誤指示は、正確な位置推定のための能力に依拠する多くのタイプのモバイルデバイスユーザの間でフラストレーションの源になることがある。
【発明の概要】
【０００６】
[0005]手短に言えば、特定の実装形態は、モバイルデバイスにおいて、第１のオケージョン中に基地局から送信された第１の測位基準信号（ＰＲＳ：Positioning Reference Signal）バーストを収集することと、第２のオケージョン中に基地局から送信された第２のＰＲＳバーストを収集することとを備える方法を対象とし得る。本方法は、１つまたは複数の性能基準に少なくとも部分的に基づいて、測位動作において使用するために第１の収集されたＰＲＳバーストと第２の収集されたＰＲＳバーストとの間で選択することをさらに備える。
【０００７】
[0006]別の特定の実装形態は、通信チャネルから信号を受信するための受信機と、第１のオケージョン中に受信機において受信された、基地局から送信された第１のＰＲＳバーストを収集するための、受信機に結合された１つまたは複数のプロセッサとを備える、モバイルデバイスを対象とし得る。１つまたは複数のプロセッサは、第２のオケージョン中に基地局から送信された第２のＰＲＳバーストを収集することと、１つまたは複数の性能基準に少なくとも部分的に基づいて、測位動作において使用するために第１の収集されたＰＲＳバーストと第２の収集されたＰＲＳバーストとの間で選択することとをさらに行うためのものである。
【０００８】
[0007]別の特定の実装形態は、第１のオケージョン中に基地局から送信された第１のＰＲＳバーストを収集するためにモバイルデバイスの１つまたは複数のプロセッサによって実行可能である、その上に記憶された機械可読命令を有する記憶媒体を備える物品を対象とし得る。機械可読命令は、第２のオケージョン取消し線（strikethrough）中に基地局から送信された第２のＰＲＳバーストを収集することと、１つまたは複数の性能基準に少なくとも部分的に基づいて、測位動作において使用するために第１の収集されたＰＲＳバーストと第２の収集されたＰＲＳバーストとの間で選択することとをさらに行うためのものである。
【０００９】
[0008]別の特定の実装形態は、第１のオケージョン中に基地局から送信された第１のＰＲＳバーストを収集することと、第２のオケージョン中に基地局から送信された第２のＰＲＳバーストを収集することとを行うためにモバイルデバイスの１つまたは複数のプロセッサによって実行可能である、その上に記憶された機械可読命令を備える記憶媒体を備える物品を対象とし得る。１つまたは複数プロセッサによって実行可能であり得る、機械可読命令は、モバイルデバイスが、１つまたは複数の性能基準に少なくとも部分的に基づいて、測位動作において使用するために第１の収集されたＰＲＳバーストと第２の収集されたＰＲＳバーストとの間で選択することをさらに生じ得る。
【００１０】
[0009]別の特定の実装形態は、第１のオケージョン中に基地局から送信された第１のＰＲＳバーストを収集するための手段を備える、モバイルデバイスを対象とし得る。本モバイルデバイスは、第２のオケージョン中に基地局から送信された第２のＰＲＳバーストを収集するための手段と、１つまたは複数の性能基準に少なくとも部分的に基づいて、測位動作において使用するために第１の収集されたＰＲＳバーストと第２の収集されたＰＲＳバーストとの間で選択するための手段とをさらに備える。
【００１１】
[0010]上述の実装形態は例示的な実装形態にすぎず、請求される主題は、必ずしもこれらの例示的な実装形態の特定の態様に限定されるとは限らないことを理解されたい。
【００１２】
[0011]以下の図を参照しながら非限定的で非網羅的な態様について説明し、別段の規定がない限り、様々な図の全体を通して、同様の参照番号は同様の部分を指す。
【図面の簡単な説明】
【００１３】
【図１】[0012]一実施形態による、ネットワークトポロジーの概略図。
【図２Ａ】[0013]一実施形態による、モバイルデバイスによる収集のためのＰＲＳバーストを送信するセルラー通信ネットワークの一部分の概略図。
【図２Ｂ】一実施形態による、モバイルデバイスによる収集のためのＰＲＳバーストを送信するセルラー通信ネットワークの一部分の概略図。
【図３】[0014]一実施形態による、モバイルデバイスによる受信のための異なるタイプのオケージョン中に異なるＰＲＳバーストを送信するセルラー基地局の一部分の概略図。
【図４】[0015]一実施形態による、異なるタイプのオケージョン中に送信された収集されたＰＲＳバーストから性能基準を抽出するように構成されたモバイルデバイスの一部分の概略図。
【図５】[0016]一実施形態による、信号プロセッサからの出力信号を表し得る相関ピーク（correlation peak）の図。
【図６】[0017]一実施形態による、異なるオケージョン中に送信された測位基準信号を処理するための方法の流れ図。
【図７】[0018]一実施形態による、例示的なデバイスを示す概略ブロック図。
【図８】[0019]一実施形態による、例示的なコンピューティングプラットフォームの概略ブロック図。
【発明を実施するための形態】
【００１４】
[0020]以下の詳細な説明では、請求する主題の完全な理解を与えるために多数の具体的な詳細を記載する。ただし、請求する主題はこれらの具体的な詳細なしに実施され得ることを、当業者は理解されよう。他の事例では、請求する主題を不明瞭にしないように、当業者に知られているであろう方法、装置、および／またはシステムについては詳細に説明していない。
【００１５】
[0021]本明細書で使用する「モバイル電子デバイス」、「モバイルデバイス」、「ワイヤレスデバイス」、またはそのような用語の複数形は、互換的に使用され得、変化する位置を時々占有し得る任意の種類の専用コンピューティングプラットフォームまたは装置を指すことがある。いくつかの事例では、モバイル通信デバイスは、たとえば、１つまたは複数の通信プロトコルに従う情報のワイヤレス送信または受信を通して、モバイルまたはそれ以外の他のデバイスと通信することが可能であり得る。例示として、本明細書では単に「モバイルデバイス」と呼ぶことがある専用モバイル通信デバイスは、たとえば、セルラー電話、スマート電話、携帯情報端末、ウェアラブルコンピュータ、リストフォン、ラップトップコンピュータ、パーソナルエンターテインメントシステム、タブレットパーソナルコンピュータ、パーソナルオーディオまたはビデオデバイス、パーソナルナビゲーションデバイスなどを含み得る。ただし、これらは、少なくとも部分的に、たとえば、モバイルデバイスの位置を推定するための１つまたは複数の動作および／または技法を実装するために使用され得るモバイルデバイスの例にすぎず、請求する主題はこの点について限定されないことを諒解されたい。また、「位置」および「ロケーション」という用語は、本明細書では互換的に使用され得ることに留意されたい。
【００１６】
[0022]本明細書で使用する、「測位基準信号」バーストまたは「ＰＲＳバースト」は、モバイルデバイスが、たとえば、他のＰＲＳバーストなど、他の収集された信号に関してＰＲＳバーストの到着時間を測定することを可能にするために、たとえば、セルラー基地局によって行われる１つまたは複数の送信を指すことがある。ＰＲＳバーストは、たとえば、セルラーネットワークコントローラの制御下で、周期的間隔でセルラー基地局の１つまたは複数の送信機アンテナポートを使用して送信され得る。ＰＲＳバーストは、ＰＲＳバーストの送信のためにセルラー基地局によって割り振られた１つまたは複数の「リソース要素」を利用し得る。リソース要素は、たとえば、約５．０ｋＨｚ、約１０．０ｋＨｚ、約１５．０ｋＨｚなど、サブキャリアの周波数帯域幅のユニットを備え得る。サブキャリア周波数帯域幅のユニットに加えて、リソース要素は、１つのシンボル、２つのシンボルなどを送信する際に消費される時間の長さなど、特定の送信時間間隔を備え得る。さらに、リソース要素は、セルラー基地局送信機の特定のアンテナポートに割り当てられ得る。基地局送信機のアンテナポートは、１つまたは複数のキャリアおよびサブキャリア周波数を備える電磁信号をワイヤレス通信チャネルに送り出すことが可能な、物理アンテナまたは他のタイプの放射構造に結合され得る。
【００１７】
[0023]したがって、１つの可能な非限定的な例では、セルラー基地局は、たとえば、ダイポールまたはモノポールアンテナに結合され得る送信機アンテナポートを使用して、１つの直交周波数分割多重（ＯＦＤＭ）シンボルを送信するのに適した時間スパンにわたる約１５．０ｋＨｚ帯域幅を備えるリソース要素を利用するＰＲＳバーストを送信し得る。
実施形態では、ＯＦＤＭ信号は、たとえば、４状態（4-state）、１６状態、または６４状態直交振幅変調（ＱＡＭ：quadrature amplitude modulation）方式によって変調され得る。キャリア周波数は、たとえば、１７００ＭＨｚ、１９００ＭＨｚ、２５００ＭＨｚなどを中心とし得る。しかしながら、ＰＲＳバーストは、異なる中心周波数、サブキャリア周波数帯域幅、多重化方式、変調方式、アンテナポート、アンテナポートに結合された物理アンテナまたは他の放射構造などを利用し得る通信システム中のリソース要素を消費し得ることに留意されたい。いくつかの実施形態では、ＬＴＥ（登録商標）（ロングタームエボリューション）、発展型ユニバーサル地上波無線アクセス（Ｅ−ＵＴＲＡ）、物理チャネルおよび変調（ＥＴＳＩ  ＴＳ３６．２１１バージョン１０．０．０リリース１０）に従って、ＰＲＳバーストが形成または生成され得るが、請求する主題はこの点について限定されない。
【００１８】
[0024]前に言及したように、モバイル通信デバイスは、１つまたは複数のセルラー基地局からの信号を収集および処理することによってモバイルデバイスの現在ロケーションを推定するために、セルラーネットワークと協働し得る。観測到着時間差（ＯＤＴＯＡ）に従い得る一手法では、いくつかの基地局（たとえば、３つまたはそれ以上）がＰＲＳバーストをモバイルデバイスに送信し得る。セルラー基地局からのＰＲＳバーストの受信に応答して、たとえば、モバイルデバイスは、ＰＲＳバーストの到着時間の間の差を計算し、計算された時間差をセルラーネットワークコントローラに送信し得る。実施形態では、セルラーネットワークコントローラが、次には、モバイルデバイスによって観測された、報告された時間差を、モバイルデバイスと１つまたは複数の送信セルラー基地局との間の推定距離に変換し得る。セルラーネットワークコントローラは、送信セルラー基地局の既知のロケーションを推定距離と関係付け、モバイルデバイスの推定ロケーションを計算し得る。しかしながら、ＯＴＤＯＡは、モバイルデバイスの現在ロケーションを推定するために採用され得る様々な手法のうちの１つにすぎず、請求する主題はこの点について限定されないことに留意されたい。
【００１９】
[0025]いくつかの事例では、ＰＲＳバーストは、通信チャネル品質に影響を及ぼし得る様々な現象に応じてひずむことがある。たとえば、通信チャネルは、セルラー基地局から送信された信号が直接的および間接的信号経路を介してモバイルデバイスに到着し得る、マルチパスフェージングをもたらし得る。直接的および間接的送信信号が強め合うように干渉する場合、モバイルデバイスへのアンテナ入力ポートにおいて比較的強い信号が存在し得る。しかしながら、直接的および間接的信号経路からの信号が弱め合うように干渉する場合、モバイルデバイスのアンテナポートにおいて比較的小さい信号が存在し得る。いくつかの事例では、たとえば、建築物および他の障害物が顕著なマルチパスフェージングをもたらし得る、密集した市街地をモバイルデバイスユーザが動き回るとき、直接的および間接的経路を介して受信された信号が、時々、強め合うように干渉し得る。しかしながら、またあるときには、直接的および間接的経路を介して到着する信号は、弱め合うように干渉し得る。したがって、モバイルデバイスが、ＯＴＤＯＡ手法を使用して推定位置の更新を受信している場合、たとえば、モバイルデバイスユーザは、比較的不正確な位置推定のオケージョンと、後続の比較的正確な位置推定のオケージョンとに気づくことがある。マルチパスフェージングが他の現象を生じ得、請求する主題はこの点について限定されないことに留意されたい。
【００２０】
[0026]他の事例では、ＰＲＳバーストは、たとえば、長い通信チャネル上で信号が送信される場合、減衰することがある。したがって、地上約１０．０〜５０．０メートルの距離に１つまたは複数のセルラーネットワークアンテナが位置し得るが、モバイルデバイスにおいて受信される信号は著しく減衰させられ得る。約２０．０キロメートルまたはそれ以上など、大きい距離だけセルラー基地局が分離され得る田園地帯においてなど、いくつかの事例では、受信されたＰＲＳバーストが、背景雑音フロアをわずかしか超えないことがある。そのような事例では、モバイルデバイスの受信機回路が、受信されたＰＲＳバーストを背景雑音と適切に区別することができないことがある。したがって、モバイルデバイスは、協働セルラーネットワークにＰＲＳバーストの到着時間の正確な測定値を与えることができないことがある。次には、セルラー基地局に結合されたセルラーネットワークコントローラが、モバイルデバイスの位置を正確に推定することができないことがある。
【００２１】
[0027]ＰＲＳバーストを受信および収集するモバイルデバイスの能力を向上させることに向けた手法は、セルラー基地局の２つまたはそれ以上の送信機アンテナポートを使用してＰＲＳバーストを送信することを備え得る。実施形態では、送信アンテナダイバーシティが、ワイヤレス通信チャネルなど、通信媒体を通る２つまたはそれ以上の比較的独立した信号経路を与えることによって、モバイルデバイスにおいて観測されるマルチパスフェージングを低減し得る。２つまたはそれ以上の比較的独立した信号経路を与えることに応答して、増加した振幅の信号がモバイルデバイスのアンテナに存在し得る。したがって、信号フェージングの確率が低減され得る。送信ダイバーシティは他の利益をもたらし得、請求する主題はこの点について限定されない。
【００２２】
[0028]いくつかの実装形態では、約５００．０ミリ秒間隔、約２５０．０ミリ秒間隔、約１６０．０ミリ秒間隔など、周期的にＰＲＳバーストを送信することによって、モバイルデバイスにおける、増加した信号強度および／またはより低いひずみなど、信号品質の改善がさらに向上され得る。ＰＲＳバーストは、たとえば、交互の偶数「オケージョン」および奇数「オケージョン」に編成され得、ここにおいて、奇数オケージョンは、たとえば、約１６０．０ミリ秒の奇数倍と一致し得、偶数オケージョンは約１６０．０ミリ秒の偶数倍と一致し得る。ＰＲＳバーストは、偶数オケージョン中に第１の送信機アンテナポートを通して送信され得、奇数オケージョン中に第２の送信機アンテナポートを通して送信され得る。特定の実装形態では、たとえば、１６状態ＱＡＭコンスタレーションのシンボルなど、１つまたは複数のシンボルの極性が偶数／奇数オケージョン中に交番され得る。たとえば、第１のタイプのオケージョン（たとえば、「奇数」オケージョン）中に、ＱＡＭコンスタレーション中の正値に対応するシンボル（たとえば、「ｒ」）が送信され得、第２のタイプのオケージョン（たとえば、「偶数」オケージョン）中に、ＱＡＭコンスタレーション中の負値に対応するシンボル（たとえば、「−ｒ」）が送信され得る。信号極性におけるそのようなダイバーシティは、モバイルデバイスが、たとえば、増加した信号強度および／またはより低いひずみを備え得る比較的高い品質のＰＲＳバーストを受信し得る、一層大きい可能性を与え得る。しかしながら、信号品質のさらなる改善が利用され得、請求する主題はこの点について限定されないことに留意されたい。
【００２３】
[0029]いくつかの実施形態では、モバイルデバイスは、奇数および偶数送信オケージョン中にモバイルデバイスによって収集され得る、第１および第２のＰＲＳバーストの性能基準を測定し得る。特定の実施形態では、モバイルデバイスは、収集された信号の信号対雑音比の測定値に少なくとも部分的に基づいて、奇数および偶数オケージョン中に送信された異なる受信されたＰＲＳバースト同士を区別するように機能し得る、弁別器および／または信号プロセッサを利用し得る。他の実施形態では、弁別器および／または信号プロセッサは、時間領域および／または周波数領域における相関に少なくとも部分的に基づいて、収集されたＰＲＳバースト同士を区別し得る。弁別器および／または信号プロセッサは、最良の確定された（best defined）相関ピークに従う奇数および／または偶数オケージョンからのＰＲＳバースト信号の選択を可能にし得る。相関ピークは、自己相関を介してなど、時間領域において決定され、または、収集された信号のフーリエ解析を介してなど、周波数領域において決定され得る。少なくともいくつかの実施形態では、相関ピーク幅が公称相関ピーク幅と比較され得る。これらの手法は、ＰＲＳバーストの到着時間を推定する際の増加した精度を可能にし得、これは、モバイルデバイスのロケーションを推定することをＰＲＳ信号バーストの正確な測定値が支援し得る事例では、有利であり得る。
【００２４】
[0030]いくつかの実施形態では、モバイルデバイスの弁別器は、第１の送信機アンテナポートを通して送信され得る、第１のＰＲＳバースト中で検出された１つまたは複数のシンボルを、第２の送信機アンテナポートを通して送信され得る、第２のＰＲＳバースト中で検出されたシンボルと比較し得る。モバイルデバイスは、弁別器からの出力信号に少なくとも部分的に基づいて、第１のＰＲＳバーストが第２のＰＲＳバーストとは異なる極性のシンボルを備えると決定し得る。したがって、モバイルデバイスのプロセッサは、たとえば、第１のタイプのオケージョン（たとえば、「奇数」オケージョン）中に第１のＰＲＳバーストが送信され、第２のタイプのオケージョン（たとえば、「偶数」オケージョン）中に第２のＰＲＳバーストが送信されたと決定し得る。決定に応答して、モバイルデバイスのプロセッサは、いくつかの収集されたＰＲＳバーストを、奇数送信オケージョンなど、第１のタイプのオケージョンに割り当て得る。また、決定に応答して、モバイルデバイスのプロセッサは、いくつかの他の収集されたＰＲＳバーストを、偶数送信オケージョンなど、第２のタイプのオケージョンに割り当て得る。第１および第２のタイプのオケージョンへのそのような割当ては、少なくともいくつかの実施形態では、ＰＲＳバーストを収集し、そのような収集に少なくとも部分的に基づいてＰＲＳバーストの到着時間をより精密に測定する、モバイルデバイスの能力を向上させ得る。
【００２５】
[0031]いくつかの実施形態では、モバイルデバイスの弁別器は、たとえば、プロセッサによるセル固有基準信号の検出に応答して、第１のＰＲＳバーストを、第１のタイプのオケージョン中に送信されたものとして指定し得る。特定の実施形態では、セル固有基準信号（ＣＲＳ）は、たとえば、特定のセルラー基地局が、奇数および偶数送信オケージョンなど、２つまたはそれ以上のタイプのオケージョンを使用してＰＲＳバーストを送信し得ることをモバイルデバイスのプロセッサに通知し得る。他の実施形態では、１つまたは複数のＣＲＳは、セルラー基地局が、３つのタイプ、４つのタイプなどの追加の送信タイプのオケージョンを備えるＰＲＳバーストを利用し得ることをモバイルデバイスのプロセッサに通知し得る。したがって、ＰＲＳバーストは、たとえば、モバイルデバイスがＰＲＳバーストの到着時間のより精密な測定を実行することを可能にし得る特定のタイプのオケージョンに割り当てられ得る。
【００２６】
[0032]図１は、一実施形態による、ネットワークトポロジー１００の概略図である。以下で説明するように、異なるタイプのオケージョンにおいて異なるＰＲＳバーストを送信するための１つまたは複数のプロセスまたは動作が、たとえば、モバイルデバイス１０２によって利用され得る信号環境において実装され得る。ネットワークトポロジー１００について、本明細書では、公衆ネットワーク（たとえば、インターネット、ワールドワイドウェブ）、プライベートネットワーク（たとえば、イントラネット）、ワイヤレスローカルエリアネットワーク（ＷＬＡＮなど）など、様々な通信ネットワークまたはネットワークの組合せのコンテキストにおいて、全体的にまたは部分的に実装され得る非限定的な例として説明することを諒解されたい。また、請求する主題は特定のタイプの屋外または屋内実装形態に限定されないことに留意されたい。たとえば、時々、本明細書で説明する１つまたは複数の動作または技法は、少なくとも部分的に、密集した都市環境、郊外環境、田園環境など得る環境において実行され得、請求する主題はこの点について限定されない。
【００２７】
[0033]図示のように、ネットワークトポロジー１００は、たとえば、１つまたは複数のプロトコルに従ってワイヤレス通信リンク１２５を介してモバイルデバイス１０２と通信することが可能な１つまたは複数のスペースビークル１６０、セルラー基地局１１０、ワイヤレス送信機１１５などを備え得る。スペースビークル１６０は、たとえば、米国の全地球測位システム（ＧＰＳ）、ロシアのＧＬＯＮＡＳＳシステム、欧州のＧａｌｉｌｅｏシステム、ならびに衛星測位システム（ＳＰＳ）の組合せからのスペースビークルを利用し得る任意のシステム、または将来開発される任意のＳＰＳなど、１つまたは複数のＳＰＳに関連付けられ得る。スペースビークル１６０はまた、たとえば、日本の準天頂衛星システム（ＱＺＳＳ：Quasi-Zenith Satellite System）、インドのインド地域航法衛星システム（ＩＲＮＳＳ：Indian Regional Navigational Satellite System）、中国のＢｅｉｄｏｕ／Ｃｏｍｐａｓｓなどの地域衛星ナビゲーションシステム、ならびに／あるいは１つまたは複数の全地球および／または地域航法衛星システムに関連付けられるか、またはさもなければそれらのシステムとともに使用することが可能であり得る様々なオーグメンテーションシステム（たとえば、衛星ベースオーグメンテーションシステム（ＳＢＡＳ：Satellite Based Augmentation System））の１つまたは複数の周回スペースビークルを表し得る。請求する主題は、上述の全地球または地域衛星ナビゲーションシステムのスペースビークルなど、スペースビークルの使用に限定されないことに留意されたい。セルラー基地局１１０、ワイヤレス送信機１１５などは、たとえば、同じまたは同様のタイプであり得るか、または実装形態に応じて、アクセスポイント、無線ビーコン、セルラー基地局、フェムトセルなど、異なるタイプのデバイスを表し得る。時々、ワイヤレス送信機１１５など、１つまたは複数のワイヤレス送信機は、たとえば、ワイヤレス信号を送信ならびに受信することが可能であり得る。
【００２８】
[0034]いくつかの事例では、１つまたは複数のセルラー基地局１１０、ワイヤレス送信機１１５などは、たとえば、１つまたは複数のワイヤレス通信リンク１２５、１４５などを介して、モバイルデバイスユーザの推定ロケーションに関連し得る、電子デジタルマップなどのアイテムを含むメッセージを送信することが可能な１つまたは複数のワイヤードまたはワイヤレス通信またはコンピューティングネットワークを備え得るネットワーク１３０に動作可能に結合され得る。モバイルデバイス１０２の位置は、３つまたはそれ以上など、いくつかのセルラー基地局１１０によって、モバイルデバイス１０２に送信された１つまたは複数のＰＲＳバーストを使用して推定され得る。以下でさらに説明するように、ＰＲＳバーストの到着時間を推定する際の精度を高めることは、モバイルデバイス１０２のロケーションを推定することをＰＲＳ信号バーストの正確な測定値が支援し得る事例では、有利であり得る。
【００２９】
[0035]本明細書では一定数のコンピューティングプラットフォームまたはデバイスについて説明するが、任意の数の好適なコンピューティングプラットフォームまたはデバイスが、ネットワークトポロジー１００に関連する１つまたは複数の技法またはプロセスを可能にするか、またはさもなければサポートするために実装され得る。たとえば、時々、ネットワーク１３０は、モバイルデバイス１０２、１つまたは複数のセルラー基地局１１０、ワイヤレス送信機１１５、サーバ１４０、１５０、１５５などと通信するために主に屋内のカバレージエリアを拡張するために、１つまたは複数のワイヤードまたはワイヤレス通信ネットワーク（たとえば、Ｗｉ−Ｆｉ（登録商標）など）に結合され得る。いくつかの事例では、ネットワーク１３０は、たとえば、カバレージのフェムトセルベースの動作領域を可能にするかまたはサポートし得る。この場合も、これらは例示的な実装形態にすぎず、請求する主題はこの点について限定されない。
【００３０】
[0036]図２Ａは、一実施形態による、モバイルデバイスによる収集のためのＰＲＳバーストを送信するセルラー通信ネットワークの一部分の概略図である。図２Ａでは、概略図２００は、モバイルデバイス１０２から遠くにある様々なロケーションにおいて見られ得る３つのセルラー基地局１１０を備える。３つのセルラー基地局１１０が図２Ａに示されているが、任意の数のセルラー基地局がモバイルデバイス１０２と少なくとも時々通信していることがあり、請求する主題は特定の数の基地局との通信に限定されない。実施形態では、セルラー基地局１１０を備え得るセルラー通信ネットワークは、特定のタイミング制約に従ってＰＲＳバースト２１０が送信され得るようにタイミングを調整するために、１つまたは複数の同期要素を利用し得る。しかしながら、請求する主題は、セルラー基地局１１０と通信し得る、セルラーネットワークコントローラなど、通信ネットワークの異なる部分の制御下でＰＲＳバーストが送信される実装形態を含み得ることに留意されたい。
【００３１】
[0037]ＰＲＳバースト２１０は、１つまたは複数のリソース要素に割り振られ得、セルラー基地局１１０にわたってほぼ均一であり得る特定の振幅を備え得る。ＰＲＳバーストは、１つまたは複数のＯＦＤＭシンボルを送信するために十分な時間スパンにわたって送信され得る。変調されたＰＲＳバースト２１０は、セルラー基地局タワー上に位置する１つまたは複数のアンテナに結合されたアンテナポートを使用して送信され得る。実施形態では、ＯＦＤＭシンボルは、たとえば、４状態、１６状態、６４状態、または他のタイプのＱＡＭ方式など、適切な変調方式を介して１つまたは複数のキャリア周波数を使用して変調され得る。ＰＲＳバーストは、キャリア信号ＰＲＳ1、ＰＲＳ2、およびＰＲＳ3を介してワイヤレス通信チャネル上でモバイルデバイス１０２に搬送され得る。キャリア信号ＰＲＳ1、ＰＲＳ2、およびＰＲＳ3の受信時に、またはそれのすぐ後に、モバイルデバイス１０２は、たとえば、ダウンコンバートし、復調し、他の信号処理演算を実行し得る。
図２Ａに、信号強度グラフ２２０を使用して、ダウンコンバートされ、復調され、処理された収集された信号が見られ得る。
【００３２】
[0038]信号強度グラフ２２０は、図２Ａに示されたピークｔ1、ｔ2、およびｔ3を備える３つの波形を備えるものとして示されている。図２Ａの例では、ｔ1においてピークを備える波形２２１は、収集された信号ＰＲＳ1に対応し得、ｔ2においてピークを備える波形２２２は、収集された信号ＰＲＳ2に対応し得、ｔ3においてピークを備える波形２２３は、収集された信号ＰＲＳ3に対応し得る。したがって、信号ＰＲＳ1、ＰＲＳ2、およびＰＲＳ3を表す収集された信号は、異なる時間に到着し、雑音フロア２２５よりも大きい振幅のものであることが推論され得る。収集された波形のピークと時間ｔ1、ｔ2、およびｔ3との時間整合に応答して、モバイルデバイス１０２は、収集された信号の到着時間の差を報告し得る。したがって、特定の実装形態では、モバイルデバイス１０２は、ｔ3−ｔ2、ｔ3−ｔ1、およびｔ2−ｔ1についての値を、たとえば、セルラー基地局１１０のうちの１つまたは複数に報告し得る。次には、観測時間差に少なくとも部分的に基づいて、位置が計算され得る。
【００３３】
[0039]図２Ｂは、一実施形態による、モバイルデバイスによる収集のためのＰＲＳバーストを送信するセルラー通信ネットワークの一部分の概略図２５０である。図２Ｂでは、図２Ａの場合のように、モバイルデバイス１０２から遠くにある様々なロケーションにおいて３つのセルラー基地局１１０が見られ得る。図２Ｂに３つのセルラー基地局１１０が示されているが、任意の数のセルラー基地局がモバイルデバイス１０２と少なくとも時々通信していることがあり、請求する主題は特定の数の基地局との通信に限定されない。図２Ｂでは、セルラー基地局１１０を備え得るセルラー通信ネットワークが、ＰＲＳバースト２１０間のタイミングを調整するために、１つまたは複数の同期要素を利用し得る。しかしながら、請求する主題は、セルラー基地局１１０とモバイルデバイス１０２とを含み得る通信ネットワークの他の部分の制御下でＰＲＳバーストが送信される実装形態を含み得ることに留意されたい。
【００３４】
[0040]ほぼ等しい振幅を備え得、１つまたは複数のＯＦＤＭシンボルを送信するのに十分な時間スパンにわたって送信され得る１つまたは複数のリソース要素に、ＰＲＳバースト２１０が割り振られ得る。実施形態では、ＯＦＤＭ信号は、たとえば、４状態、１６状態、６４状態、または他のタイプのＱＡＭ方式など、適切な変調方式を利用する１つまたは複数のキャリア周波数を使用して変調され得る。ＰＲＳバーストは、キャリア信号ＰＲＳ4、ＰＲＳ5、およびＰＲＳ6を介して通信チャネル上でモバイルデバイス１０２に搬送され得る。
【００３５】
[0041]キャリア信号ＰＲＳ4は、モバイルデバイス１０２の受信機回路によって収集されるのに十分な信号強度とともにモバイルデバイス１０２に到着し得る。キャリア信号ＰＲＳ4に対応する収集された信号は、たとえば、ｔ4においてピークを備える波形２７１として表され得る。しかしながら、田園地帯２６２など、大きい距離にわたって伝搬し得るキャリア信号ＰＲＳ5は、かなりの信号減衰を受け得る。そのような事例では、モバイルデバイス１０２は、キャリア信号ＰＲＳ5を収集することができないことがある。図２Ｂの例では、キャリア信号ＰＲＳ5に対応するひどく減衰した信号を表し得る波形２７２は、モバイルデバイス１０２の受信機回路によって収集することが困難であることがある。
市街地２６３など、密集した市街地を通って伝搬することに応答してマルチパスフェージングを受け得るキャリア信号ＰＲＳ6は、直接的および間接的経路を介してモバイルデバイス１０２に到着し得る。直接的および間接的経路を介してキャリア信号ＰＲＳ6を受信することに応答して、波形２７３は、たとえば、図２Ｂに示されているように少なくとも２つのピークを呈することがある。そのような事例では、ピークｔ6の検出が問題になり得る。したがって、図２Ｂの例に示されているように、様々な現象がキャリア信号の伝搬に影響を及ぼし得、それが、ＰＲＳバーストを収集する、モバイルデバイス１０２などのモバイルデバイスの能力を妨害するかまたは劣化させ得る。そのような困難は、ｔ3−ｔ2、ｔ3−ｔ1、およびｔ2−ｔ1についての値を、たとえば、セルラー基地局１１０のうちの１つまたは複数に報告する、モバイルデバイスの能力を妨害し得る。次には、モバイルデバイス１０２の正確な推定位置を計算することが問題になり得る。
【００３６】
[0042]図３は、一実施形態による、モバイルデバイスによる受信のための異なるオケージョン中に異なるＰＲＳバーストを送信するセルラー基地局の一部分の概略図３００である。図３では、セルラー基地局３１０は、図１および図２Ａ〜図２Ｂのセルラー基地局１１０のものと同様の多くの特徴を備える。しかしながら、図３では、基地局３１０は、ダイバーシティモードで動作するようにプログラムされるかまたはさもなければ構成され得、ダイバーシティモードでは、たとえば、基地局３１０の１つまたは複数のリソース要素が、異なるオケージョンにおいてまたは異なるオケージョン中に異なるＰＲＳバーストを送信するように構成され得る。図３の例では、アンテナ３１１およびアンテナ３１２は、偶数オケージョン３２０中にアンテナ３１１を介して送信され得、奇数オケージョン３２５中にアンテナ３１２を介して送信され得るなど、異なるオケージョン中に異なるＰＲＳバーストを送信するために利用されるリソース要素を表し得る、別個の送信機アンテナポートに結合され得る。実施形態では、たとえば、たとえば、第１のタイプのオケージョン（たとえば、「奇数」オケージョン）中に送信するために第１のアンテナポートが利用され得、たとえば、第２のタイプのオケージョン（たとえば、「偶数」オケージョン）中に送信するために第２のアンテナポートが利用され得る。一実施形態では、偶数オケージョン３２０中に時間ｔ2、ｔ4、ｔ6などにおいてキャリア信号が送信され得る。奇数オケージョン３２５中に、時間ｔ1、ｔ3、ｔ5などにおいてキャリア信号が送信され得る。ただし、図３は、２つのタイプのオケージョン（たとえば、奇数および偶数）のみを示すが、他の実施形態は、等しい数のアンテナ（たとえば、第３のアンテナ、第４のアンテナなど）に結合され得る、３つのタイプ、４つのタイプなど、より大きい数のタイプのオケージョンを利用し得、請求する主題はこの点について限定されないことに留意されたい。
【００３７】
[0043]図３の例では、アンテナ３１１を通る偶数オケージョン３２０の送信と、アンテナ３１２を通る奇数オケージョン３２５の送信とに応答して、ＰＲＳバーストなど、キャリア信号をひずませおよび／または減衰させ得る現象の影響が低減され得る。たとえば、場合によっては都市環境３６３がマルチパス干渉をもたらすことにより、偶数ＰＲＳオケージョンからの信号３７０が互いに干渉する場合、奇数ＰＲＳオケージョンからの信号３６５が同様のマルチパス干渉を受けないことが可能であり得る。同様に、奇数ＰＲＳオケージョン中に送信された信号３７５が互いに干渉する場合、偶数ＰＲＳオケージョン中に送信された信号３７０が同様のマルチパス干渉を受けないことがある。したがって、いくつかの実施形態では、アンテナ３１１および３１２に結合され得る送信アンテナポートの選択におけるダイバーシティに応答して、ＰＲＳバーストがモバイルデバイス１０２によって受信および収集され得る可能性が高まる。
【００３８】
[0044]前述のように、アンテナ３１１および３１２に結合されたアンテナポートを備える送信機は、ＰＲＳバーストの送信を交番し得る。１つの可能な例では、アンテナ３１２を利用して約１６０．０ミリ秒の奇数倍においてＰＲＳバーストが送信され得る。したがって、奇数送信オケージョンは、約１６０．０ミリ秒、約４８０．０ミリ秒、約８００．０ミリ秒などに対応し得る。同様に、アンテナ３１１を利用して約１６０．０ミリ秒の偶数倍において送信され得る偶数送信オケージョンは、約３２０．０ミリ秒、６４０．０ミリ秒、約９６０．０ミリ秒などに対応し得る。ＰＲＳバーストのそのような交番送信は、以下の式を使用して要約され得る。
【００３９】
【数１】
2018021921.tif 000003
【００４０】
【数２】
2018021921.tif 000004
【００４１】
ここにおいて、「アンテナ１」は、図３のアンテナ３１１に結合された送信機の少なくとも１つのアンテナポートに対応し得る。同様に、「アンテナ２」は、図３のアンテナ３１２に結合された送信機の少なくとも１つのアンテナポートに対応し得る。式１および式２中の変数「ａ１」は、ＬＴＥ、発展型ユニバーサル地上波無線アクセス（Ｅ−ＵＴＲＡ）、物理チャネルおよび変調（ＥＴＳＩ  ＴＳ３６．２１１バージョン１０．０．０リリース１０）のチャプター６．１０．４．１において定義されている測位基準信号シーケンスに対応し得る。
【００４２】
[0045]他の実施形態では、送信機の個々のアンテナポートに結合され得るアンテナ３１１および３１２は、たとえば、偶数および奇数オケージョン中にＰＲＳバーストを同時に送信し得るが、偶数オケージョンと奇数オケージョンとの間のＯＦＤＭシンボル極性の変動を伴う。したがって、１つの可能な例では、アンテナ３１１および３１２に結合されたアンテナ出力ポートを通して偶数オケージョンと奇数オケージョンの両方中にＰＲＳバーストが送信され得る。偶数オケージョン（たとえば、ｔ2、ｔ4、ｔ6など）中の送信は、以下の式を使用して要約され得る。
【００４３】
【数３】
2018021921.tif 000005
【００４４】
奇数オケージョン（たとえば、ｔ1、ｔ3、ｔ5など）中に、ＯＦＤＭシンボル極性が反転または逆反転させられ得、それは、以下の式を使用して要約され得る。
【００４５】
【数４】
2018021921.tif 000006
【００４６】
ここにおいて、変数「ａ２」は、ＬＴＥ、発展型ユニバーサル地上波無線アクセス（Ｅ−ＵＴＲＡ）、物理チャネルおよび変調（ＥＴＳＩ  ＴＳ３６．２１１バージョン１０．０．０リリース１０）のチャプター６．１０．４．１において定義されている測位基準信号シーケンスに対応し得る。
【００４７】
[0046]したがって、セルラー基地局３１０など、セルラー基地局の送信機の出力アンテナポートの使用におけるダイバーシティは、モバイルデバイス１０２など、モバイルデバイスが受信されたＰＲＳバーストを収集することを可能にし得る。いくつかの実施形態では、送信機の第１および第２のアンテナポートは交番され得、たとえば、第１のタイプのオケージョン（たとえば、奇数オケージョン）中に送信するために第１のアンテナポートが使用され得、第２のタイプのオケージョン（たとえば、偶数オケージョン）中に送信するために第２のアンテナポートが使用され得る。いくつかの実施形態では、ＰＲＳバーストの時間平均電力が他の実施形態に関して固定レベルにとどまり得るように、増加した振幅信号が送信され得る。いくつかの実装形態では、２つまたはそれ以上の送信機アンテナポートがＰＲＳバーストを同時に送信し得る同時送信が、モバイルデバイスによるＰＲＳバーストの収集の可能性をさらに高め得る。
【００４８】
[0047]さらに、いくつかの実装形態では、シンボル極性の変化が、ＰＲＳバーストの収集の可能性をさらに高め得る。図３は、偶数および奇数オケージョンなど、第１および第２のタイプのオケージョンの間のＰＲＳバーストの送信の変動について説明するが、他の実施形態は、３つのタイプ、４つのタイプなど、より大きい数のタイプのオケージョンを採用し得、請求する主題はこの点について限定されないことを再び留意されたい。一例では、第１、第２、第３、および第４のタイプのＰＲＳバーストは、たとえば、セルラー基地局３１０の個々のアンテナに結合され得る、送信機の等しい数の別個のアンテナポートを介して送信され得る。さらに、実施形態は複数のサブキャリアを採用し得る。たとえば、偶数ＰＲＳオケージョン中に送信された信号は、第１のサブキャリア（たとえば、約０．０ｋＨｚ〜約１５．０ｋＨｚ）を使用して送信され得、奇数ＰＲＳオケージョン中の信号は、約３０．０ｋＨｚ〜約４５．０ｋＨｚなど、第２のサブキャリアを使用して送信され得る。
【００４９】
[0048]図４は、一実施形態による、異なるオケージョン中に送信された収集されたＰＲＳバーストから性能基準を抽出するように構成されたモバイルデバイスの一部分の概略図４００である。図４について説明する際の簡単のために、電源装置、ディスプレイ、ユーザインターフェースなど、モバイルデバイス１０２のいくつかの機能要素が示されないが、本明細書の図７に示されている。図４では、１つまたは複数のＰＲＳバーストを表し得るキャリア信号が、モバイルデバイスのアンテナ４１０に影響を及ぼし得る。モバイルデバイスがアンテナ４１０以外の追加のアンテナを備え得、請求する主題は特定の数のアンテナを備えるモバイルデバイスに限定されないことに留意されたい。いくつかの実施形態では、たとえば、モバイルデバイスは２つのアンテナを備え得、ここにおいて、第１のアンテナは水平偏波信号を受信するのに好適であり得、第２のアンテナは垂直偏波信号を受信するのに好適であり得る。図４では、アンテナ４１０の出力ポートからの出力信号が、ダウンコンバータ４２０の入力ポートに搬送され得る。ダウンコンバータ４２０は、たとえば、ＰＲＳバーストを備えるキャリアおよび／またはサブキャリアを、中心周波数に近接した１つまたは複数の周波数から１つまたは複数のベースバンド周波数に変換し得る。
【００５０】
[0049]ダウンコンバータ４２０からの出力信号が、復調器４３０の入力ポートに印加され得る。実施形態では、復調器４３０は、たとえば、第１および第２のオケージョン（たとえば、奇数および偶数オケージョン）中に送信された、からＰＲＳバーストの存在を検出し得る、ＯＦＤＭ復調器を備え得る。ＰＲＳバーストを備える第１および第２の送信タイプのオケージョンからの復調された波形は、波形４３５によって表され得、そこにおいて、いくつかの収集された信号が、他の収集された信号との比較に少なくとも部分的に基づくより大きい信号強度などの性能基準を備え得る。前に言及したように、相対的信号強度の低減は、マルチパス干渉、減衰、および／または様々な他の現象によってもたらされたひずみに応じたものであり得る。
【００５１】
[0050]復調器４３０の１つまたは複数の出力ポートからの信号が、弁別器４４０の１つまたは複数の入力ポートに搬送され得る。実施形態では、弁別器４４０は、収集された信号の性能基準を検出するために波形４３５のうちの１つまたは複数を評価し得る。収集された信号の性能基準が検出または抽出され得る場合、弁別器４４０は、第１のタイプのオケージョン中に送信されたＰＲＳバーストを表す波形を、第２のタイプのオケージョン中に送信されたＰＲＳバーストを表す波形と区別することが可能であり得る。実施形態では、第１のタイプのオケージョンのＰＲＳバーストは、たとえば、アンテナ３１２（図３）に結合されたアンテナポートを通して送信され得、第２のタイプのオケージョンのＰＲＳバーストは、たとえば、アンテナ３１１に結合されたアンテナポートを通して送信され得る。復調器４３０からの信号の受信に応答して、弁別器４４０は、波形４３５のうちの１つまたは複数の信号対雑音比を計算し、１つまたは複数の波形を第１および第２のタイプのオケージョンに指定し得る。いくつかの実施形態では、このことは、弁別器４４０が、たとえば、雑音フロア４３７に相当する振幅の波形４３５のうちの１つまたは複数など、より弱い信号を廃棄することを可能にし得る。図４では、廃棄された波形は、たとえば、雑音フロア４３７よりも低い振幅を備え得る、たとえば、波形４４２に対応し得る。波形４４２を廃棄することに応答して、信号プロセッサ４５０は、雑音フロア４３７よりも著しく高い振幅を有する信号（たとえば、より大きい信号対雑音比を有する信号）を測定する信号を備え得る、波形４４４を処理し得る。弁別器４４０の出力ポートからの信号の受信に応答して、信号プロセッサ４５０は、統合、ピーク検出、自己相関などの信号処理演算を実行することが可能であり得る。信号プロセッサ４５０は、前述のことに加えてまたはそれの代わりに追加の動作を実行し得、請求する主題はこの点について限定されない。
【００５２】
[0051]いくつかの実装形態では、弁別器４４０は、収集された信号の周波数成分など、性能基準を抽出するために信号プロセッサ４５０と協働し得る。たとえば、いくつかの実施形態では、高速フーリエ変換など、フーリエ解析が波形４３５のうちの１つまたは複数に対して実行され得る。フーリエ解析は、収集された波形４３５のうちの１つまたは複数を、第１の送信機アンテナポートを通して送信されたものとして指定することと、収集された波形４３５のうちの他の波形を、第２の送信機アンテナポートを通して送信されたものとして指定することとを可能にし得る。このことは、たとえば、１つまたは複数のセルラー基地局が、第１および第２のタイプのオケージョン中の送信のために構成されたＰＲＳバーストを送信するために複数のサブキャリアを利用する実装形態では、有利であり得る。そのような実装形態では、フーリエ解析の使用は、異なるサブキャリア周波数を備えるリソース要素（たとえば、送信機出力ポート）の使用を検出し得る。たとえば、１つの可能な実装形態では、第１のタイプのオケージョン中に送信されたＰＲＳバーストは、第１の送信機アンテナポートに結合され得、たとえば、約０．０ｋＨｚ〜約１５．０ｋＨｚのサブキャリア周波数を利用し得る。第２のタイプのオケージョン中に送信されたＰＲＳバーストは、第２の送信機アンテナポートに結合され得、たとえば、約３０．０ｋＨｚ〜約４５．０ｋＨｚのサブキャリア周波数を使用して送信され得る。
【００５３】
[0052]いくつかの実装形態では、弁別器４４０は、第１のアンテナポートを通して送信されたＰＲＳバーストと第２のアンテナポートを通して送信されたＰＲＳバーストとの間のシンボル極性の変化を備える性能基準を決定するために、信号プロセッサ４５０と協働し得る。たとえば、第１の送信機アンテナポートを通して送信されたＰＲＳバーストは、たとえば、第１の極性の１つまたは複数のＯＦＤＭシンボルを利用し得、第２の送信機アンテナポートを通して送信されたＰＲＳバーストは、第２の極性の１つまたは複数のＯＦＤＭシンボルを利用し得る。したがって、弁別器４４０および／または信号プロセッサ４５０は、ＰＲＳバースト中で検出されたシンボル間の極性の変化を検出するために、収集されたＰＲＳバースト間の１つまたは複数の比較を実行し得る。収集されたＰＲＳバースト間の１つまたは複数の比較に応答して、弁別器４４０および／または信号プロセッサ４５０は、第１の性能基準（たとえば、正のシンボル極性）を備えるＰＲＳバーストを、第１のタイプのオケージョン中に送信されたものとして指定し得る。第２の性能基準（たとえば、負のシンボル極性）を備えるＰＲＳバーストは、第２のタイプオケージョン中に送信されたものとして指定され得る。
【００５４】
[0053]特定の実施形態では、セルラー基地局１１０など、セルラー基地局は、受信されたＰＲＳバーストの間で異なる性能基準をモバイルデバイスに通知するために使用され得る、情報ブロックまたは他の識別子を送信し得る。したがって、たとえば、１つまたは複数の識別子は、弁別器４４０および／または信号プロセッサ４５０が、第１のタイプのオケージョン中に送信されたＰＲＳバーストと第２のタイプのオケージョン中に送信されたＰＲＳバーストとの効率的な弁別を可能にし得る設定で事前構成され得ることを可能にし得る。事前設定は、たとえば、セルラー基地局が、たとえば、３つまたはそれ以上のアンテナなどの複数のアンテナを使用してＰＲＳバーストを送信する実装形態では、特に有用であり得る。実施形態では、弁別器４４０および／または信号プロセッサ４５０は、収集されたＰＲＳバーストを、事前構成された数の離散周波数および／または時間相関ビン（bins）に割り当てることが可能であり、それによって、ＰＲＳパルスを分類する際に消費される時間を低減し得る。１つまたは複数のセルラー基地局からの情報ブロックの使用が追加の利益をもたらし得、請求する主題はこの点でないことに留意されたい。
【００５５】
[0054]いくつかの実施形態では、セルラー基地局はセル固有基準信号を送信し得、セル固有基準信号は、モバイルデバイスによって収集され、特定の基地局が異なるオケージョンを使用して送信された異なるＰＲＳバーストを利用するかどうかを決定するために使用され得る。たとえば、セル固有基準信号の収集時に、モバイルデバイスは、セルラー基地局と、セルラー基地局が異なるオケージョン中にＰＲＳバーストを送信するかどうかとを識別するインジケータの構成を備えるデータファイルをメモリデバイスに記憶し得る。これは、モバイルデバイスが、弁別器４４０および／または信号プロセッサ４５０を、ＰＲＳバーストの効率的な弁別および／または信号処理を可能にし得る設定で事前構成することを可能にし得る。セルラー基地局と、関連付けられたＰＲＳバーストのオケージョンのタイプとのインデックスのリスティング（listing）にアクセスすることに応答して、モバイルデバイスは、第１の検出または抽出された性能基準を備える１つまたは複数のＰＲＳバーストを、第１のタイプのオケージョン中に送信されたＰＲＳバーストであるとして指定し得る。また、リスティングにアクセスすることに応答して、第２の検出または抽出された性能基準を備えるＰＲＳバーストは、第２のタイプのオケージョン中に送信されたＰＲＳバーストであるとして指定され得る。
【００５６】
[0055]図５は、一実施形態による、信号プロセッサからの出力信号を表し得る相関ピークの図である。図５では、図４の信号プロセッサ４５０と一致し得る信号プロセッサが、たとえば、相関ピーク５６０など、出力信号を生成し得る。相関ピークの５６０は、たとえば、モバイルデバイスにとってアクセス可能なメモリデバイスに記憶された、たとえば、１つまたは複数の公称相関ピークと比較され得る、幅「ｗ」などの幅を備え得る。相関ピークは、時間領域、周波数領域において、または任意の他の相関手法に応答して検出され得、請求する主題はこの点について限定されない。
【００５７】
[0056]特定の実施形態では、信号プロセッサ５５０によって生成された相関ピークの間で最良の確定された相関ピークを検出するために、相関ピーク５６０が分析され得る。前に言及したように、時間領域、周波数領域、または他の適用可能な信号処理領域において相関ピークが決定され得る。最良の相関ピークは、図５の傾き５６５など、相関ピークのポイント間の傾きを測定することによって検出され得る。
【００５８】
[0057]図６は、一実施形態による、異なるオケージョンタイプ中に送信された位置基準信号を処理するための方法の流れ図である。図６の方法は、セルラー基地局からの信号を収集および処理するモバイルデバイスによって実行され得るが、たとえば、他の実施形態では、図６の方法は、他のタイプの送信機からの信号を収集するモバイルデバイスによって実行され得、請求する主題はこの点について限定されない。図６で説明するものなど、例示的な実装形態は、図示および説明されているもの以外のブロック、より少数のブロック、識別され得るものとは異なる順序で生じるブロック、またはそれらの任意の組合せを含み得る。
【００５９】
[0058]ブロック６１０において、モバイルデバイスが、上述の技法のうちのいずれか１つを使用して第１のオケージョン中に基地局から送信された第１のＰＲＳバーストを収集する。たとえば、第１のＰＲＳバーストは、図３に示されているようにセルラー基地局３１０のアンテナ３１１を介して送信され、モバイルデバイス１０２によって収集され得る。本方法はブロック６２０に進み得、ここにおいて、モバイルデバイスは第２のオケージョン中に基地局から送信された第２のＰＲＳバーストを収集する。たとえば、第２のＰＲＳバーストは、セルラー基地局３１０のアンテナ３１２を介して送信され、モバイルデバイス１０２によって収集され得る。ブロック６３０において、モバイルデバイスの弁別器および／または信号プロセッサが、たとえば、信号対雑音比、周波数成分、シンボル極性など、１つまたは複数の性能基準に少なくとも部分的に基づいて、測位動作において使用するために第１の収集されたＰＲＳバーストと第２の収集されたＰＲＳバーストとの間で選択する。
【００６０】
[0059]図７は、一実施形態による、モバイルデバイスの概略図である。モバイルデバイス１０２（図１）は、図７に示されたモバイルデバイス７００の１つまたは複数の特徴を備え得る。いくつかの実施形態では、モバイルデバイス７００はまた、ワイヤレス通信ネットワーク上でアンテナ７２２を介してワイヤレス信号７２３を送信および受信することが可能であるワイヤレストランシーバ７２１を備え得る。ワイヤレストランシーバ７２１はワイヤレストランシーババスインターフェース７２０を介してバス７０１に結合され得る。ワイヤレストランシーババスインターフェース７２０は、いくつかの実施形態では、ワイヤレストランシーバ７２１に少なくとも部分的に統合され得る。いくつかの実施形態は、たとえば、ワイドエリアネットワーク（ＷＡＮ）、ワイヤレスローカルエリアネットワーク（ＷＬＡＮ）、パーソナルエリアネットワーク（ＰＡＮ）などのための、対応する複数のワイヤレス通信規格に従った信号の送信および／または受信を可能にするための、複数のワイヤレストランシーバ７２１およびワイヤレスアンテナ７２２を含み得る。たとえば、ほんの数例を挙げると、ＩＥＥＥ規格８０２．１１のバージョン、ＣＤＭＡ、ＷＣＤＭＡ（登録商標）、ＬＴＥ、ＵＭＴＳ、ＧＳＭ（登録商標）、ＡＭＰS、Ｚｉｇｂｅｅ（登録商標）、およびＢｌｕｅｔｏｏｔｈ（登録商標）など。
【００６１】
[0060]モバイルデバイス７００はまた、ＳＰＳアンテナ７５８を介してＳＰＳ信号７５９を収集および処理することが可能なＳＰＳ受信機７５５を備え得る。ＳＰＳ受信機７５５はまた、モバイルデバイス７００のロケーションを推定するために、収集されたＳＰＳ信号７５９を全体的にまたは部分的に処理し得る。いくつかの実施形態では、（１つまたは複数の）汎用プロセッサ７１１、メモリ７４０、（１つまたは複数の）ＤＳＰ７１２および／または専用プロセッサ（図示せず）はまた、ＳＰＳ受信機７５５とともに、収集されたＳＰＳ信号を全体的にまたは部分的に処理し、ならびに／あるいはモバイルデバイス７００の推定ロケーションを計算するために利用され得る。ＳＰＳまたは測位動作を実行する際に使用するための他の信号の記憶は、メモリ７４０またはレジスタ（図示せず）中で実行され得る。
【００６２】
[0061]また、図７に示されている、モバイルデバイス７００は、バス７０１へのインターフェースを備え得る（１つまたは複数の）デジタル信号プロセッサ（ＤＳＰ）７１２を備え得る。（１つまたは複数の）汎用プロセッサ７１１は、バス７０１へのインターフェースを備え得、メモリ７４０へのインターフェースを備え得る。バスインターフェースは、（１つまたは複数の）ＤＳＰ７１２、（１つまたは複数の）汎用プロセッサ７１１およびメモリ７４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ７４０に記憶された１つまたは複数の機械可読命令の実行応答して、機能が実行され得る。１つまたは複数の命令は、（１つまたは複数の）汎用プロセッサ７１１、専用プロセッサ、または（１つまたは複数の）ＤＳＰ７１２によって実行可能であり得る。メモリ７４０は、本明細書で説明する機能を実行するために（１つまたは複数の）プロセッサ７１１および／または（１つまたは複数の）ＤＳＰ７１２によって実行可能であるソフトウェアコード（プログラミングコード、命令など）を記憶する非一時的プロセッサ可読メモリおよび／またはコンピュータ可読メモリを備え得る。メモリ７４０は、セルラー基地局と、セルラー基地局が異なるオケージョン中にＰＲＳバーストを送信するかどうかとを識別するインジケータの構成を備える、データファイルを記憶し得る。
【００６３】
[0062]また、図７に示されている、ユーザインターフェース７３５は、たとえば、ほんの数例を挙げると、スピーカー、マイクロフォン、ディスプレイデバイス、振動デバイス、キーボード、タッチスクリーンなど、いくつかのデバイスのうちのいずれか１つを備え得る。特定の実装形態では、ユーザインターフェース７３５は、ユーザがモバイルデバイス７００上にホストされた１つまたは複数のアプリケーションと対話することを可能にし得る。たとえば、ユーザインターフェース７３５のデバイスは、ユーザからのアクションに応答して（１つまたは複数の）ＤＳＰ７１２または汎用プロセッサ７１１によってさらに処理されるべきアナログまたはデジタル信号をメモリ７４０に記憶し得る。同様に、モバイルデバイス７００上にホストされたアプリケーションは、出力信号をユーザに提示するためにアナログまたはデジタル信号をメモリ７４０に記憶し得る。実装形態では、ユーザは、モバイルデバイスの推定ロケーションを決定するためにユーザインターフェース７３５と対話し得る。推定ロケーションは、異なるオケージョン中に１つまたは複数のセルラー基地局から送信されたＰＲＳバーストを収集することによって決定され得る。ダウンコンバージョン、復調、および信号処理演算に応答して、ワイヤレストランシーバ７２１は、収集されたＰＲＳバーストの到着時間の差を送信し得る。収集されたＰＲＳバーストの到着時間の差の受信に応答して、１つまたは複数のセルラー基地局は、ディスプレイデバイス上での表示のためにビデオプロセッサ７６８によってレンダリングされ得る、モバイルデバイスの推定位置を送信し得る。
【００６４】
[0063]一実装形態では、モバイルデバイス７００は、たとえば、専用スピーカー、マイクロフォン、デジタルアナログ回路、アナログデジタル回路、増幅器、および／または利得制御を備える専用オーディオ入出力（Ｉ／Ｏ）デバイス７７０を含み得る。ただし、これは、オーディオＩ／Ｏがモバイルデバイスにおいてどのように実装され得るかの一例にすぎず、請求される主題はこの点について限定されないことを理解されたい。別の実装形態では、モバイルデバイス７００は、キーボードまたはタッチスクリーンデバイスにタッチすること、またはそれに対する圧力に応答するタッチセンサー７６２を備え得る。
【００６５】
[0064]モバイルデバイス７００はまた、静止画または動画をキャプチャするための専用カメラデバイス７６４を備え得る。カメラデバイス７６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ７１１または（１つまたは複数の）ＤＳＰ７１２において実行され得る。代替的に、専用ビデオプロセッサ７６８が、キャプチャされた画像を表す信号の調整、符号化、圧縮、または操作を実行し得る。さらに、ビデオプロセッサ７６８は、モバイルデバイス７００上のディスプレイデバイス（図示せず）上での提示のために記憶された画像データを復号／復元し得る。
【００６６】
[0065]モバイルデバイス７００は、たとえば、慣性センサーと環境センサーとを含み得る、バス７０１に結合されたセンサー７６０をも備え得る。センサー７６０の慣性センサーは、たとえば、（たとえば、３次元におけるモバイルデバイス７００の加速度にまとめて応答する）加速度計、（たとえば、１つまたは複数のコンパスアプリケーションをサポートするための）１つまたは複数のジャイロスコープまたは１つまたは複数の磁力計を備え得る。モバイルデバイス７００の環境センサーは、たとえば、ほんの数例を挙げると、温度センサー、気圧センサー、周辺光センサー、カメライメージャ、マイクロフォンを備え得る。センサー７６０は、メモリ７４０に記憶され、たとえば、測位またはナビゲーション動作を対象とするアプリケーションなどの１つまたは複数のアプリケーションをサポートする汎用アプリケーションプロセッサ７１１によって処理され得るアナログまたはデジタル信号を生成し得る。
【００６７】
[0066]特定の実装形態では、モバイルデバイス７００は、ワイヤレストランシーバ７２１またはＳＰＳ受信機７５５において受信され、ダウンコンバートされた信号のベースバンド処理を実行することが可能な専用モデムプロセッサ７６６を備え得る。同様に、モデムプロセッサ７６６は、ワイヤレストランシーバ７２１による送信のためにアップコンバートされるべき信号のベースバンド処理を実行し得る。代替実装形態では、専用モデムプロセッサを備える代わりに、ベースバンド処理は汎用プロセッサまたはＤＳＰ（たとえば、汎用／アプリケーションプロセッサ７１１または（１つまたは複数の）ＤＳＰ７１２）によって実行され得る。ただし、これらはベースバンド処理を実行し得る構造の例にすぎず、請求する主題はこの点について限定されないことを理解されたい。
【００６８】
[0067]特定の実装形態では、モバイルデバイス７００は、図７のプロセスに記載されているアクションのうちの１つまたは複数を実行することが可能であり得る。たとえば、汎用アプリケーションプロセッサ７１１は、ブロック６１０、６２０、および／または６３０におけるアクションのすべてまたは一部を実行し得る。
【００６９】
[0068]図８は、たとえば、図３および図４に関して上記で説明した技法またはプロセスを実装するように構成可能な１つまたは複数のデバイスを含み得る例示的なシステム８００を示す概略図である。システム８００は、たとえば、ワイヤレス通信ネットワーク８０８を通して動作可能に結合され得る第１のデバイス８０２と、第２のデバイス８０４と、第３のデバイス８０６とを含み得る。一態様では、第１のデバイス８０２は、たとえば、基地局アルマナック、モバイルデバイスに、ＰＲＳバーストがその間に送信される異なるオケージョンの使用の１つまたは複数のセルラー基地局による使用を通知し得る、情報ブロックなどの測位支援データを与えることが可能なサーバを備え得る。別の態様では、モバイルデバイスは、セル固有基準信号を、ＰＲＳバーストがその間に送信される複数のタイプのオケージョンの使用と関連付け得る、基地局アルマナックを使用し得る。第２のデバイス８０４および第３のデバイス８０６は、一態様では、モバイルデバイスを備え得る。さらに、一態様では、ワイヤレス通信ネットワーク８０８は、たとえば、１つまたは複数のセルラー基地局および／またはワイヤレスアクセスポイントを備え得る。ただし、請求する主題はこれらの点で範囲が限定されない。
【００７０】
[0069]図８に示されているように、第１のデバイス８０２、第２のデバイス８０４、および第３のデバイス８０６は、ワイヤレス通信ネットワーク８０８を介してデータを交換するように構成可能であり得る、（たとえば、図１に示されたワイヤレス送信機１１５、あるいはサーバ１４０、１５０、または１５５など）任意のデバイス、アプライアンスまたは機械を表し得る。限定ではなく例として、第１のデバイス８０２、第２のデバイス８０４、または第３のデバイス８０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス８０２、第２のデバイス８０４、および第３のデバイス８０６のいずれも、それぞれ、本明細書で説明する例による基地局アルマナックサーバ、基地局、またはモバイルデバイスのうちの１つまたは複数を備え得る。
【００７１】
[0070]同様に、（たとえば、図１に示されたネットワーク１３０の実装形態の詳細における）通信ネットワーク８０８は、第１のデバイス８０２、第２のデバイス８０４、および第３のデバイス８０６のうちの少なくとも２つの間でのデータの交換をサポートするように構成可能な１つまたは複数の通信リンク、プロセス、またはリソースを表し得る。限定ではなく例として、通信ネットワーク８０８は、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス８０６の部分的に不明瞭にされたものとして示された破線ボックスによって示されるように、ワイヤレス通信ネットワーク８０８に動作可能に結合された追加の同様のデバイスがあり得る。したがって、限定ではなく例として、第２のデバイス８０４は、バス８２８を介してメモリ８２２に動作可能に結合された少なくとも１つの処理ユニット８２０を含み得る。システム８００に示された様々なデバイスおよびネットワーク、ならびに本明細書でさらに説明するプロセスおよび方法の全部または一部は、ハードウェア、ファームウェア、ソフトウェア、またはそれらの任意の組合せを使用して、またはさもなければ含めて実装され得ることを認識されたい。
【００７２】
[0071]処理ユニット８２０は、データコンピューティング手順またはプロセスの少なくとも一部分を実行するように構成可能な１つまたは複数の回路を表す。限定ではなく例として、処理ユニット８２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００７３】
[0072]メモリ８２２は任意のデータ記憶機構を表す。メモリ８２２は、たとえば、１次メモリ８２４または２次メモリ８２６を含み得る。１次メモリ８２４は、たとえば、ランダムアクセスメモリ、読取り専用メモリなどを含み得る。この例では処理ユニット８２０とは別個であるものとして示されているが、１次メモリ８２４の全部または一部は、処理ユニット８２０内に設けられるか、またはさもなければ処理ユニット８２０と共設／結合され得ることを理解されたい。
【００７４】
[0073]特定の実装形態では、第２のデバイス８０４は、モバイルデバイスの推定ロケーションをレンダリングすることが可能であり得る。たとえば、第２のデバイス８０４は、通信ネットワーク８０８を通してクライアントＳＴＡ、受信ＳＴＡおよび／または送信ＳＴＡから受信するメッセージ中で、クライアントＳＴＡの推定ロケーションを計算する際に使用する式を形成する際に使用するパラメータを受信し得る。いくつかの実装形態では、第２のデバイス８０４のトランシーバ（図示せず）は、第２のデバイス８０４の推定ロケーションを第１のデバイス８０２に送信し得る。収集されたＰＲＳバーストの時間差に応答して、推定ロケーションを計算することに応答して、第１のデバイス８０２は、第２のデバイス８０４の推定ロケーションを送信し得る。第２のデバイス８０４は、たとえばバス８２８に結合されたディスプレイデバイス（図示せず）を介して１つまたは複数の推定位置を表示し得る。２次メモリ８２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、２次メモリ８２６は、コンピュータ可読媒体８４０を動作可能に受容可能であるか、またはさもなければそれに結合するように構成可能であり得る。コンピュータ可読媒体８４０は、たとえば、システム８００内のデバイスのうちの１つまたは複数のためにデータ、コードまたは命令を担持するかアクセス可能にすることができる任意の非一時的媒体を含み得る。コンピュータ可読媒体８４０は記憶媒体と呼ばれることもある。
【００７５】
[0074]第２のデバイス８０４は、たとえば、少なくともワイヤレス通信ネットワーク８０８への第２のデバイス８０４の動作可能な結合を与えるか、またはさもなければそれをサポートする通信インターフェース８３０を含み得る。限定ではなく例として、通信インターフェース８３０は、ネットワークインターフェースデバイスまたはカード、モデム、ルータ、スイッチ、トランシーバなどを含み得る。
【００７６】
[0075]第２のデバイス８０４は、たとえば、入出力デバイス８３２を含み得る。入出力デバイス８３２は、人間または機械の入力を受け付けるか、またはさもなければそれを導入するように構成可能であり得る１つまたは複数のデバイスまたは特徴、あるいは人間または機械の出力を配信するか、またはさもなければそれを与えるように構成可能であり得る１つまたは複数のデバイスまたは特徴を表す。限定ではなく例として、入出力デバイス８３２は、動作可能に構成されたディスプレイ、スピーカー、キーボード、マウス、トラックボール、タッチスクリーン、データポートなどを含み得る。
【００７７】
[0076]本明細書で説明した方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を実行するように設計された他のデバイスユニット、またはそれらの組合せ内に実装され得る。
【００７８】
[0077]メモリ８２２は、任意の好適なまたは所望の情報記憶媒体を表し得る。たとえば、メモリ８２２は、１次メモリ８２４と２次メモリ８２６とを含み得る。１次メモリ８２４は、たとえば、ランダムアクセスメモリ、読取り専用メモリなどを含み得る。この例では処理ユニットとは別個であるものとして示されているが、１次メモリ８２４の全部または一部は、処理ユニット８２０内に設けられるか、またはさもなければ処理ユニット８２０と共設／結合され得ることを諒解されたい。２次メモ８２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数の情報ストレージデバイスまたはシステムを含み得る。いくつかの実装形態では、２次メモリ８２６は、非一時的コンピュータ可読媒体８４０を動作可能に受容するか、またはさもなければそれに結合されることが可能であり得る。
【００７９】
[0078]本明細書に含まれる詳細な説明のいくつかの部分は、特定の装置あるいは専用コンピューティングデバイスまたはプラットフォームのメモリ内に記憶された２値デジタル信号に対する演算のアルゴリズムまたは記号表現に関して提示した。この特定の明細書のコンテキストでは、特定の装置などの用語は、プログラムソフトウェアからの命令に従って特定の動作を実行するようにプログラムされた汎用コンピュータを含む。アルゴリズム記述または記号表現は、信号処理または関連技術の当業者がそれらの仕事の本質を他の当業者に伝達するために使用する技法の例である。アルゴリズムは、本明細書では、および一般には、所望の結果をもたらす自己無撞着な一連の演算または同様の信号処理と考えられる。このコンテキストでは、演算または処理は物理量の物理的操作を伴う。一般に、必ずしも必要ではないが、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字などと呼ぶことが時々便利であることがわかっている。ただし、これらまたは同様の用語のすべては、適切な物理量に関連付けられるべきであり、便宜的なラベルにすぎないことを理解されたい。別段に明記されていない限り、本明細書の説明から明らかなように、本明細書全体にわたって、「処理する」、「計算する（computing）」、「計算する（calculating）」、「決定する」などの用語を利用する説明は、専用コンピュータ、専用計算装置または同様の専用電子コンピューティングデバイスなど、特定の装置の動作またはプロセスを指すことを諒解されたい。したがって、本明細書のコンテキストで、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいは専用コンピュータまたは同様の専用電子コンピューティングデバイスのディスプレイデバイス内の電子的または磁気的な物理量として一般に表される信号を操作または変換することが可能である。
【００８０】
[0079]本明細書で説明するワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は、本明細書では互換的に使用されることがある。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」：Global System for Mobile Communications）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ（登録商標）」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公的に入手可能である。４Ｇロングタームエボリューション（「ＬＴＥ」）通信ネットワークも、一態様において、請求する主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明したワイヤレス通信実装形態はまた、ＷＷＡＮ、ＷＬＡＮまたはＷＰＡＮの任意の組合せとともに使用され得る。
【００８１】
[0080]本明細書で使用する「および」、および「または」という用語は、それが使用されるコンテキストに少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、Ｂ、またはＣを意味するものとする。本明細書全体にわたる「一例」または「例」への言及は、その例に関して説明する特定の特徴、構造、または特性が、請求する主題の少なくとも１つの例の中に含まれることを意味する。したがって、本明細書全体にわたる様々な箇所における「一例では」または「例」という句の出現は、必ずしもすべてが同じ例を指すとは限らない。さらに、それらの特定の特徴、構造、または特性は、１つまたは複数の例において組み合わせられ得る。本明細書で説明した例は、機械、デバイス、エンジン、またはデジタル信号を使用して動作する装置を含み得る。そのような信号は、電子信号、光信号、電磁信号、またはロケーション間で情報を与える任意の形態のエネルギーを備え得る。
【００８２】
[0081]現在例示的な特徴と考えられることについて例示し説明したが、請求する主題から逸脱することなく、様々な他の変更が行われ得、均等物が代用され得ることが、当業者には理解されよう。さらに、本明細書に記載の中心概念から逸脱することなく、請求する主題の教示に特定の状況を適合させるために多くの変更を行い得る。したがって、請求する主題は、開示された特定の例に限定されず、そのような請求する主題はまた、添付の特許請求の範囲内に入るすべての態様とそれらの均等物とを含み得るものとする。
【図１】
2018021921.tif 000007
【図２Ａ】
2018021921.tif 000008
【図２Ｂ】
2018021921.tif 000009
【図３】
2018021921.tif 000010
【図４】
2018021921.tif 000011
【図５】
2018021921.tif 000012
【図６】
2018021921.tif 000013
【図７】
2018021921.tif 000014
【図８】
2018021921.tif 000015
【外国語明細書】
2018021921000001.pdf